(57)【要約】  本発明の一態様により、留具は、枠部材に関して板部材を固定するように形成される。本留具は、板部材への嵌合のために形成されたハウジングを備える。本留具は、さらに、ハウジング内に取り付けられたキャップと、ハウジング内に長手軸線に沿って延びるシャフトと、を備える。本留具のスプリングは、長手軸線に沿ってキャップから離れるようにシャフトを偏倚させるように形成され、本留具のスリーブは、シャフトとハウジングとの間に挿入され、スリーブは第一細長穴の形状を定める。本留具は、シャフトとハウジングとの間に挿入されたカムを備え、カムは、第二細長穴の形状を定める。ピンが設けられて、第一及び第二細長穴内へ延びる。第一及び第二細長穴は、キャップがハウジング内を回転させられるときのシャフトの回転及び軸線方向動作を案内するように形成される。
2018524494.tif 000002
【特許請求の範囲】
【請求項１】
枠部材に関して板部材を固定するように形成された留具であって、前記留具が、
前記板部材への嵌合のために形成されたハウジングであって、長手軸線を有し、前記長手軸線に沿って穴の形状を定めるハウジングと、
前記長手軸線回りの回転のために前記ハウジングの前記穴内に取り付けられたキャップであって、長手方向に延びる凹みの形状を定める前記キャップと、
前記ハウジングの前記穴内に前記長手軸線に沿って延びるシャフトであって、前記長手軸線回りの回転のために取り付けられ、さらに、前記キャップに関する軸線方向動作のために取り付けられるシャフトと、
前記長手軸線に沿って前記キャップから離れるように前記シャフトを偏倚させるように形成されたスプリングと、
前記シャフトと前記ハウジングとの間に挿入されたスリーブであって、第一細長穴の形状を定めるスリーブと、
前記シャフトと前記ハウジングとの間に挿入されたカムであって、前記長手軸線回りに前記スリーブに関して回転可能であり、第二細長穴の形状を定める前記カムと、
前記長手軸線に関して前記シャフトから半径方向外側へ延びるピンであって、前記第一細長穴内及び前記第二細長穴内へ延びるピンと、
前記シャフトに連結されたパウルであって、前記枠部材に掛かるように形成される前記パウルと、を具備する前記留具において、
前記第一細長穴及び前記第二細長穴は、前記パウルが前記枠部材に掛かる又は前記枠部材から外れるように、前記キャップが前記ハウジング内を回転させられるときの前記シャフトの前記回転及び前記軸線方向動作を案内するように形成される留具。
【請求項２】
前記キャップは、前記長手軸線に沿って延びて前記キャップを回転するための駆動面を形成する駆動スタッドを具備する請求項１に記載の留具。
【請求項３】
前記キャップの前記凹みは、少なくとも部分的に前記駆動スタッド内に形状が定められる請求項２に記載の留具。
【請求項４】
前記キャップは、前記長手軸線に沿って延びて前記キャップを回転するための駆動面を形成する駆動開口の形状を定める請求項１に記載の留具。
【請求項５】
前記キャップの前記凹みは、前記キャップの半径方向において前記駆動開口と重なる請求項４に記載の留具。
【請求項６】
前記キャップの前記凹みは、前記駆動開口から半径方向外側の位置へ延びる請求項５に記載の留具。
【請求項７】
前記シャフトは、前記キャップの前記凹みに可動に受け入れられる案内部を有し、前記スプリングは、前記シャフトの前記案内部を取り囲むように位置させられる請求項１に記載の留具。
【請求項８】
前記スプリングは、前記シャフト及び前記キャップの対向面の間に延び、前記対向面に接する端部を有する請求項７に記載の留具。
【請求項９】
前記キャップの前記対向面は、前記キャップの前記凹み内に形成される請求項８に記載の留具。
【請求項１０】
さらに、前記キャップの前記対向面の内側縁に隣接する環状突起を具備し、前記環状突起は、前記キャップの前記凹みの開口へ向けて延びる請求項９に記載の留具。
【請求項１１】
前記シャフトの前記案内部は、前記シャフトの前記対向面に隣接する広がり部を備える請求項８に記載の留具。
【請求項１２】
前記スプリングは、圧縮スプリング、波板スプリング、皿ばね、エラストマ材スプリング、及び、円錐スプリングから成る一団から選択された一つ以上の要素を備える請求項１に記載の留具。
【発明の詳細な説明】
【技術分野】
【０００１】
本出願は、その内容がその全体において参照により本明細書に援用される２０１５年７月１４日に出願された名称「低減させた突出長を有する押圧留具」の米国仮特許出願第６２／１９２２６４号に対して優先権を主張する。
【０００２】
本発明は、概して、留具、特に、貯蔵区画をしっかり締めるために使用されることができ、このような区画内への留具の低減させた突出長を提供することができる押圧留具に関する。
【背景技術】
【０００３】
伝統的に、制限区域（例えば医療環境のような）における貯蔵区画は、中の物への不正な接近を防止するために、しっかり締められなければならない。留具は、このような区画への接近を対応する鍵を有する使用者に制限するために使用されても良い。
【０００４】
環境又は意図された使用に依存して、多くの貯蔵区画は、利用可能空間の制限分を有する可能性があり、又は、この区画内の空間の実質的に全てをふさぐ物を貯蔵する可能性がある。これらの種類の区画のために、区画をしっかり締めるために使用される留具は、不必要に突出せず、又は、利用可能な制限空間に影響を及ぼさないことが有利である可能性がある。したがって、改良された機構及び装置が、良好な留具性能を維持する一方で、依然として利用可能な貯蔵空間に悪影響することなく、貯蔵区画をしっかり締めるために望まれる。
【発明の概要】
【０００５】
本発明の態様は、留具に関する。
【０００６】
本発明の一態様により、留具は、枠部材に関して板部材を固定するように形成される。留具は、板部材への嵌合のために形成されたハウジングを備え、ハウジングは、長手軸線を有し、長手軸線に沿って穴の形状を定める。留具は、さらに、長手軸線回りの回転のためにハウジングの穴内に取り付けられたキャップを備え、キャップは長手方向に延びる凹みの形状を定める。留具には、さらに、ハウジングの穴内に長手軸線に沿って延びるシャフトが備えられ、シャフトは長手軸線回りの回転のために取り付けられ、シャフトは、さらに、キャップに関する軸線方向動作のために取り付けられ、シャフトは、キャップの凹みに可動に受け入れられる案内部を有する。留具のスプリングが、長手軸線に沿ってキャップから離れるようにシャフトを偏倚させるように形成され、留具のスリーブが、シャフトとハウジングとの間に挿入され、スリーブは第一細長穴の形状を定める。留具は、さらに、シャフトとハウジングとの間に挿入されたカムを備え、カムは長手軸線回りにスリーブに関して回転可能であり、カムは第二細長穴の形状を定める。ピンが長手軸線に関してシャフトから半径方向外側へ延びるように設けられ、ピンは第一及び第二細長穴内へ延びる。留具は、さらに、シャフトに連結されたパウルを備え、パウルは枠部材に掛かるように形成される。第一及び第二細長穴は、パウルが枠部材に掛かる又は枠部材から外れるように、キャップがハウジング内を回転させられるときのシャフトの回転及び軸線方向動作を案内するように形成される。
【０００７】
キャップは、長手軸線に沿って延びてキャップを回転するための駆動面を形成する駆動スタッドを備えることができる。もしそうであるならば、キャップの凹みは、少なくとも部分的に駆動スタッド内に形状が定められることができる。
【０００８】
キャップは、さらに、長手軸線に沿って延びてキャップを回転するための駆動面を形成する駆動開口の形状を定めることができる。もしそうであるならば、キャップの凹みは、キャップの半径方向において駆動開口と重なることができ、キャップの凹みは、駆動開口から半径方向外側の位置へ延びることができる。
【０００９】
スプリングは、シャフトの案内部を取り囲むように位置させられることができ、スプリングは、シャフト及びキャップの対向面の間に延びることができ、これら対向面に接する端部を有する。キャップの対向面は、キャップの凹み内に形成されることができる。スプリングは、以下の要素、圧縮スプリング、波板スプリング、皿ばね、エラストマ材スプリング、及び、円錐スプリングの一つ以上を備えることができる。
【００１０】
本発明は、添付図面に関して読まれるときに以下の詳細な記述から最も良く理解される。共通の慣例により、図面の様々な形体は比例尺でないことが強調される。それどころか、様々な形体の寸法は、明確化のために、恣意的に、拡大又は縮小されている可能性がある。図面には、以下の図が含まれる。
【図面の簡単な説明】
【００１１】
【図１】本発明の態様による枠部材に関して板部材を固定するために形成された好ましい留具を示す図である。
【図２】図１の留具の分解図である。
【図２Ａ】図１の留具の構成要素の拡大分解図である。
【図３Ａ】図１の留具の好ましいハウジングを示す図である。
【図３Ｂ】図１の留具の好ましいハウジングを示す図である。
【図３Ｃ】図１の留具の好ましいハウジングを示す図である。
【図３Ｄ】図１の留具の好ましいハウジングを示す図である。
【図３Ｅ】図１の留具の好ましいハウジングを示す図である。
【図４Ａ】図１の留具の好ましいキャップを示す図である。
【図４Ｂ】図１の留具の好ましいキャップを示す図である。
【図４Ｃ】図１の留具の好ましいキャップを示す図である。
【図４Ｄ】図１の留具の好ましいキャップを示す図である。
【図４Ｅ】図１の留具の好ましいキャップを示す図である。
【図５Ａ】図１の留具の好ましいシャフトを示す図である。
【図５Ｂ】図１の留具の好ましいシャフトを示す図である。
【図５Ｃ】図１の留具の好ましいシャフトを示す図である。
【図５Ｄ】図１の留具の好ましいシャフトを示す図である。
【図５Ｅ】図１の留具の好ましいシャフトを示す図である。
【図６Ａ】板部材及び枠部材と共に図１の留具の好ましい開動作の第一段階を示す図である。
【図６Ｂ】板部材及び枠部材と共に図１の留具の好ましい開動作の第一段階を示す図である。
【図６Ｃ】板部材及び枠部材と共に図１の留具の好ましい開動作の第一段階を示す図である。
【図７Ａ】図６Ａから６Ｃの開動作の第二段階を示す図である。
【図７Ｂ】図６Ａから６Ｃの開動作の第二段階を示す図である。
【図７Ｃ】図６Ａから６Ｃの開動作の第二段階を示す図である。
【図８Ａ】図６Ａから６Ｃの開動作の第三段階を示す図である。
【図８Ｂ】図６Ａから６Ｃの開動作の第三段階を示す図である。
【図８Ｃ】図６Ａから６Ｃの開動作の第三段階を示す図である。
【図９Ａ】本発明の態様による留具の好ましい代替キャップを示す図である。
【図９Ｂ】本発明の態様による留具の好ましい代替キャップを示す図である。
【図９Ｃ】本発明の態様による留具の好ましい代替キャップを示す図である。
【図１０Ａ】本発明の態様による留具の好ましい代替シャフトを示す図である。
【図１０Ｂ】本発明の態様による留具の好ましい代替シャフトを示す図である。
【図１０Ｃ】本発明の態様による留具の好ましい代替シャフトを示す図である。
【図１１Ａ】本発明の態様による留具の好ましい開動作の代替第一段階を示す図である。
【図１１Ｂ】本発明の態様による留具の好ましい開動作の代替第一段階を示す図である。
【図１２Ａ】図１１Ａ及び１１Ｂの開動作の代替第二段階を示す図である。
【図１２Ｂ】図１１Ａ及び１１Ｂの開動作の代替第二段階を示す図である。
【図１３Ａ】本発明の態様による留具のもう一つの好ましい代替キャップを示す図である。
【図１３Ｂ】本発明の態様による留具のもう一つの好ましい代替キャップを示す図である。
【図１３Ｃ】本発明の態様による留具のもう一つの好ましい代替キャップを示す図である。
【図１３Ｄ】本発明の態様による留具のもう一つの好ましい代替キャップを示す図である。
【図１３Ｅ】本発明の態様による留具のもう一つの好ましい代替キャップを示す図である。
【図１４Ａ】本発明の態様による留具のもう一つの好ましい代替シャフトを示す図である。
【図１４Ｂ】本発明の態様による留具のもう一つの好ましい代替シャフトを示す図である。
【図１４Ｃ】本発明の態様による留具のもう一つの好ましい代替シャフトを示す図である。
【図１４Ｄ】本発明の態様による留具のもう一つの好ましい代替シャフトを示す図である。
【図１４Ｅ】本発明の態様による留具のもう一つの好ましい代替シャフトを示す図である。
【図１５Ａ】本発明の態様による留具の好ましい開動作のもう一つの代替第一段階を示す図である。
【図１５Ｂ】本発明の態様による留具の好ましい開動作のもう一つの代替第一段階を示す図である。
【図１６Ａ】図１５Ａ及び１５Ｂの開動作の代替第二段階を示す図である。
【図１６Ｂ】図１５Ａ及び１５Ｂの開動作の代替第二段階を示す図である。
【発明を実施するための形態】
【００１２】
本発明が特定の実施形態を参照して本明細書に図解及び記述されるけれども、本発明は、示された細部に限定されることが意図されない。むしろ、様々な変更が、請求の範囲の等価物の範囲及び限度内において本発明から逸脱することなく細部において成されても良い。
【００１３】
本明細書に記述された好ましい留具は、これら留具が貯蔵区画内への留具の突出程度の減少のために設けられることができるように、このような区画のための伝統的な留具より低い形状を有し、利用可能な貯蔵空間への留具の影響を低減又は排除する。これらの実施形態は、概して、区画を開き又は閉じるために回転方向及び軸線方向に移動する留具のキャップ及びシャフトを組み込む。
【００１４】
特定の留具の実施形態が本明細書に記述される一方で、開示された実施形態の構成要素は、本明細書に記述された利点を達成するために、当業者の一人には知られている任意の伝統的な留具へ組み込まれても良い。例えば、開示された実施形態の構成要素は、その内容がその全体において参照により本明細書に援用される米国特許第４５８３７７５号明細書に記述された留具へ組み込まれても良い。同様に、開示された留具は、区画内の物をしまい込むのに望ましい任意の種類の貯蔵区画を含む任意の構造に使用可能であっても良い。本留具は、好ましくは、枠部材へ取り付けられた板部材と共に使用されるための押圧留具である。このような押圧留具は、板部材が枠部材に関して留具を掛けない開位置から、板部材が枠部材に関して留具を掛ける掛け位置、及び、板部材及び枠部材が互いに対して押圧されるように板部材が枠部材に対して引き寄せられる固定位置への動作のために形成される。
【００１５】
図面を参照すると、図１から８Ｃは、本発明の態様による好ましい留具１００を図解する。留具１００は、図６Ａ、７Ａ、及び、８Ａに示されたように、枠部材２０に関して板部材１０を固定するように形成される。全体として、留具１００は、ハウジング１１０、キャップ１２０、シャフト１３０、スプリング１４０、スリーブ１５０、カム１６０、ピン１７０、及び、パウル１８０を備える。留具１００のさらなる詳細は、以下に記述される。
【００１６】
ハウジング１１０は、留具１００の構成要素を収納する。ハウジング１１０は、板部材１０への嵌合のために形成される。好ましい実施形態において、ハウジング１１０は、板部材１０の貫通穴内に適合するような大きさの本体部１１２を有する。ハウジング１１０は、さらに、本体部１１２の外面回りに周方向に延びるフランジ部１１４を備える。フランジ部１１４は、ハウジング１１０の本体部１１２が貫通穴内に受け入れられるときに、板部材１０の内面又は外面に接する大きさである。
【００１７】
好適な実施形態において、ハウジング１１０は、ナット１０２を使用して板部材１０に嵌合する。ナット１０２は、板部材１０がフランジ部１１４とナット１０２との間でつかまれるように、本体部１１２の外面に形成されたねじ部１１５にねじ込まれるようになっている。ワッシャ１０４が、留具１００と板部材１０との適当な固定を形成するために、板部材１０とナット１０２との間に追加されても良い。追加的に、ガスケット（図示せず）が、液体又はほこりのような外部要素から区画内を守るために、板部材１０とハウジング１１０のフランジ部１１４との間に追加されても良い。留具１００を板部材１０へ固定するための区画内におけるナット１０２の使用は、留具１００の板部材１０からの不正な取り外しを望ましく防止する。
【００１８】
択一的に又は追加的に、ハウジング１１０は、例えば、板部材１０の貫通穴内への本体部１１２の摩擦又はねじ込み取り付け、又は、板部材１０の面へのフランジ部１１４の接着を含む任意の他の手段によって板部材１０に嵌合しても良い。例えば、ネジのような固定具は、取り付け形状に分類することができるように、使用されることができる。なお、さらに、ハウジング１１０の一部又は全部は、板部材１０と一体又は単一体として形成されても良い。
【００１９】
ハウジング１１０の本体部１１２は、長手軸線に沿って延びる。図６Ｃ、７Ｃ，及び、８Ｃに示されたように、長手軸線は、概して、板部材１０の平面に対して直交方向に延びる。それにもかかわらず、長手軸線は板部材１０に関して斜めの角度で延びても良く、長手軸線の方向は限定されることが意図されないことが、本明細書の記述から理解されるであろう。
【００２０】
ハウジング１１０の本体部１１２は、さらに、長手軸線に沿って延びる穴１１６の形状を自身に定める。穴１１６は、以下に記述されるように、留具１００の構成要素を収納するような大きさである。
【００２１】
ハウジング１１０は、さらに、図３Ａから３Ｅに示されたように、少なくとも一つの表示部１１８を備えても良い。表示部１１８は、留具の鍵状構成要素の回転開始又は終了位置を使用者へ示すために設けられても良い。好ましい実施形態において、表示部１１８は、キャップ１２０の対応表示部１２５と整列されるときに、キャップ１２０が非回転（締め又は固定）位置にあることを使用者に示す切欠きである。留具は、板部材が枠部材に関して留具を掛けない開位置から、板部材が枠部材に関して留具を掛ける掛け位置、及び、板部材及び枠部材が互いに対して押圧されるように板部材が枠部材に対して引き寄せられる固定位置へ移動可能である。
【００２２】
キャップ１２０は、ハウジング１１０の穴１１６内に少なくとも部分的に取り付けられる。キャップ１２０は、ハウジング１１０に固定されず、それにより、長手軸線回りにハウジング１１０に関して回転することができる。図４Ａから４Ｅに示されたように、キャップ１２０は、ハウジング１１０内のキャップ１２０の妨げられない回転を可能とするために、円形状を有しても良い。
【００２３】
キャップ１２０は、ハウジング１１０に関する軸線方向動作を防止されても良い。好ましい実施形態において、キャップ１２０は、保持部１２１を備える。保持部１２１は、キャップ１２０の外面を取り囲む割りリングとして形成されても良い。保持部１２１は、キャップ１２０の周囲外面に沿って形成された溝１２３、及び、ハウジング１１０の周囲内面に沿って形成された対応溝１１３内に収納される。保持部１２１は、溝１１３及び１２３内に収容されるときに、本体部１１２によって形状が定められた穴１１６から出るキャップ１２０の軸線方向動作を防止する。
【００２４】
好適な実施形態において、Ｏリング１０６のようなガスケットが、液体又はほこりのような外部要素から本体部１１２の内部を守るためにハウジング１１０とキャップ１２０との間に追加されても良い。キャップ１２０及びハウジング１１０の少なくとも一方は、キャップ１２０とハウジング１１０との間のガスケットの収納のために環状溝又は面を備えても良い。
【００２５】
キャップ１２０は、図４Ａから４Ｅに示されたように、自身の上面に少なくとも一つの駆動面１２２を備える。駆動面１２２は、使用者がキャップ１２０を例えば鍵部材によって駆動又は回転することを可能とするために、キャップ１２０がハウジング１１０内に取り付けられるときに接近可能である。駆動面１２２は、鍵部材（図示せず）の形状に対応する形状で形成されても良い。この形態において、キャップ１２０は、駆動面１２２に嵌合するための対応鍵部材なしには、容易にハウジング１１０に関して回転させられることができない。
【００２６】
キャップ１２０は、さらに、少なくとも一つの長手方向に延びる凹み１２４を備える。凹み１２４は、駆動面１２２の反対側のキャップ１２０の下面に形成される。凹み１２４は、以下に記述されるように、シャフト１３０の一部とつながるように形成される。
【００２７】
一実施形態において、キャップ１２０は、長手軸線に沿ってキャップ１２０の上面から延びる駆動スタッド１２６を具備する。駆動スタッド１２６は、キャップ１２０を回転するための駆動面１２２を形成しても良い。この実施形態において、凹み１２４は、ハウジング１１０の半径方向において駆動スタッド１２６と重なる。言い換えれば、凹み１２４は、駆動スタッド１２６内に少なくとも部分的に形状が定められる。
【００２８】
択一的に又は追加的に、キャップ１２０は、長手軸線に沿ってキャップ１２０の上面内へ延びる駆動開口１２８を具備する。駆動開口１２８もまた、キャップ１２０を回転するための駆動面１２２を形成しても良い。この実施形態において、凹み１２４は、ハウジング１１０の半径方向において駆動開口１２８と重なる。言い換えれば、凹み１２４は、駆動開口１２８から半径方向外側又は半径方向内側のいずれかである位置へ長手方向に延びる。
【００２９】
キャップ１２０の凹み１２４と駆動面１２２との間の重なりは、留具１００の突出長を低くするのに有利である。以下に明らかにされるように、凹み１２４は、留具１００を開く間においてシャフト１３０の軸線方向動作の方向を定めるために設けられる。凹み１２４と駆動面１２２との間の半径方向の重なり（駆動スタッド１２６及び駆動開口１２８の少なくとも一方によって定められる）を形成することによって、キャップ１２０の全高Ｈ（図４Ｃに示される）及びシャフト１３０の長さの少なくとも一方は、減少させられる可能性があり、留具１００の全突出長Ｐ（図６Ｃに示される）は低くされる可能性がある。好ましくは、留具１００は、板部材の外面（ハウジング１１０の本体部１１２の外面回りに周方向に延びるフランジ部１１４の底縁に一致する）からネジ１８２の基部へ測定される約３０ｍｍ以下の全突出長Ｐを有する。伝統的な留具は、約４０ｍｍの突出長Ｐを有している可能性がある。この突出長Ｐは、例えば、本発明の好ましい実施形態により約３０ｍｍに低減されることができる。
【００３０】
図面に図解された実施形態は、留具の本体上へのパウルの取付位置がネジ１８２及びハウジング１１０により長手方向位置に固定される固定把持式である。言い換えれば、パウルの位置は、この実施形態において使用者によって容易に調節されることができない。調節可能な把持特徴を有するもう一つの実施形態において、留具の本体上へのパウルの取付位置は、例えば、使用者の選択位置にパウルの位置を拘束するためのナットを使用して調節されることができる。調節可能な把持特徴を有する伝統的な留具は、例えば約６４ｍｍのより長い突出長Ｐを有する可能性がある。この突出長Ｐは、例えば、本発明の好ましい実施形態により約５４ｍｍへ低減されることができる。言い換えれば、突出長Ｐは、伝統的な留具形状と比較して、様々な留具形状にとって約１０ｍｍ又はそれ以上までだけ低減されることができる。
【００３１】
図６Ａ、７Ａ、及び、８Ａに示されたように、板部材２０及びガスケット（図示せず）が、板部材２０と、ハウジング１１０の本体部１１２の外面回りに周方向に延びるフランジ部１１４の底縁との間に位置させられる。板部材２０及びガスケットは、図６Ｃ、７Ｃ、及び、８Ｃに示されておらず、その代わりに、隙間は、別のやり方で、板部材２０及びガスケットによって占領されるであろう空間を示す。
【００３２】
キャップ１２０は、さらに、少なくとも一つの表示部１２５を備えても良い。表示部１２５は、ハウジング１１０に関するキャップ１２０の回転位置を使用者へ表示するために設けられても良い。好ましい実施形態において、表示部１２５は、キャップ１２０が非回転（締り）位置にあるときを使用者へ表示するために、ハウジング１１０上の対応表示部１１８と整列するように位置させられる切欠きである。
【００３３】
シャフト１３０は、ハウジング１１０の穴１１６内に少なくとも部分的に取り付けられる。シャフト１３０は、ハウジング１１０の長手軸線に沿って延びる。シャフト１３０は、ハウジング１１０及びキャップ１２０に関して長手軸線回りに回転可能であるように取り付けられる。図５Ａから５Ｅに示されたように、シャフト１３０は、ハウジング１１０内でのシャフト１３０の妨げられない回転を可能とするために円形状を有しても良い。
【００３４】
シャフト１３０は、ハウジング１１０及びキャップ１２０に関して軸線方向に可動であるように取り付けられる。好ましい実施形態において、シャフト１３０は、案内部１３２を備える。案内部１３２は、キャップ１２０へ向かって軸線方向にシャフト１３０から上方向に延びる。案内部１３２は、キャップ１２０の凹み１２４内に受け入れられる大きさである。凹み１２４内への案内部１３２の滑り嵌合は、キャップ１２０に関するシャフト１３０の軸線方向動作を定める。
【００３５】
シャフト１３０は、さらに、貫通穴１３４を備える。貫通穴は、シャフト１３０の本体を半径方向に通って延びる。貫通穴は、さらに詳細に以下に記述されるように、シャフト１３０を通過するピン１７０を収納するように形成される。
【００３６】
シャフト１３０は、さらに、自身の下側端部にねじ凹み１３６を備える。ねじ凹み１３６は、さらに詳細に以下に記述されるように、パウル１８０を固定するためのネジ１８２を収納するような大きさである。
【００３７】
スプリング１４０は、長手軸線に沿ってキャップ１２０から離すようシャフト１３０を偏倚させるように形成される。好ましい実施形態において、スプリング１４０は、シャフト１３０の案内部１３２を取り囲むように位置させられる圧縮スプリングである。スプリングは、圧縮スプリング、波板スプリング、皿ばね、エラストマ材スプリング、及び、円錐スプリングのような要素の一つ又は多数を備えることができる。スプリング１４０は、シャフト１３０上の対向面１３８へキャップ１２０の面１２７から延び、各面１２７及び１３８に接する端部を有する。好ましい実施形態において、キャップ１２０の面１２７は、キャップ１２０の全高Ｈを低減又はさらに低減するために、凹み１２４内に形状が定められる。
【００３８】
スリーブ１５０が、ハウジング１１０とシャフト１３０との間に挿入されて穴１１６内に位置させられる。スリーブ１５０は、こうして、シャフト１３０が位置させられる穴の形状を定める。
【００３９】
スリーブ１５０は、ハウジング１１０に関するスリーブ１５０の回転を防止するようにハウジング１１０内に取り付けられる。好ましい実施形態において、スリーブ１５０は、ハウジング１１０の鍵形体１１９と噛み合うように位置させられる一つ以上の鍵形体１５２を備える。鍵形体１５２及び１１９は、本明細書の記述から当業者の一人にはわかる爪部、突起、凹み、又は、任意の他の回転止め構造であっても良い。択一的に、スリーブ１５０の全て又は一部は、ハウジング１１０と一体に又は単一体として形成されても良い。
【００４０】
スリーブ１５０は、一対の細長穴１５４の形状を定める。細長穴１５４は、自身にピン１７０を受け入れて、各細長穴１５４に沿うピン１７０の軸線方向及び周方向の少なくも一方の動作を可能にするような大きさである。好ましい実施形態において、スリーブ１５０及びカム１６０の拡大分解図を示す図２Ａを参照すると、各細長穴１５４は、ハウジング１１０の長手方向又は軸線方向に延びる第一部分１５４Ａと、ハウジング１１０の周方向に延びる第二部分１５４Ｂとを備えるＬ形状を有する。各細長穴１５４の第一部分１５４Ａ及び第二部分１５４Ｂは、より詳細に以下に記述されるように、留具１００の開又は閉動作中にハウジング１１０内のシャフト１３０の動作を案内する。
【００４１】
カム１６０は、スリーブ１５０とシャフト１３０との間に挿入されてスリーブ１５０の穴内に位置させられる。カム１６０は、長手軸線回りにスリーブ１５０に関して回転可能であるようにスリーブ１５０内に取り付けられる。特に、カム１６０は、キャップ１２０と共に回転可能であるように取り付けられる。好ましい実施形態において、カム１６０は、キャップ１２０の下面の鍵形体１２９と噛み合うように位置させられた一つ以上の鍵形体１６２を備える。鍵形体１６２及び１２９は、本明細書の記述から当業者の一人にはわかる爪部、突起、凹み、又は、任意の他の回転止め構造であっても良い。
【００４２】
カム１６０は、一対の細長穴１６４の形状を定める。細長穴１６４は、自身にピン１７０を受け入れて、各細長穴１６４に沿うピン１７０の軸線方向及び周方向の少なくも一方の動作を可能にするような大きさである。好ましい実施形態において、各細長穴１６４は、キャップ１２０近傍の第一位置と、キャップ１２０から離れるように第一位置から軸線方向に間隔を置かれる第二位置との間をカム１６０の周囲外面回りを螺旋状に曲げられる。細長穴１５４と共に、細長穴１６４は、より詳細に以下に記述されるように、留具１００の開又は閉動作中にハウジング１１０内のシャフト１３０の動作を案内する。
【００４３】
カム１６０はスリーブ１５０内に位置させられるように記述される一方で、本発明はそのように限定されないことが理解されるであろう。カム１６０は、択一的に、本発明の範囲から逸脱することなく、スリーブ１５０がカム１６０とシャフト１３０との間に挿入されるように、スリーブ１５０の外側に位置させられることができる。
【００４４】
追加的に、カム１６０はキャップ１２０とは別の構成要素であるように記述される一方で、本発明はそのように限定されないことが理解されるであろう。択一的に、カム１６０の全て又は一部は、キャップ１２０と一体に又は単一体として形成されることができる。このような構造は、留具１００の全突出長Ｐをさらに最小化するために望まれる可能性がある。
【００４５】
ピン１７０は、ハウジング１１０の長手又は軸線方向に関してシャフト１３０から半径方向外側へ延びる。ピン１７０は、シャフト１３０に形成された穴内に拘束され、細長穴１５４及び１６４により受け入れられる。その結果として、シャフト１３０は、ピン１７０の細長穴１５４及び１６４との嵌合によって定められる通路内において回転方向又は軸線方向に移動を制限される。
【００４６】
好ましい実施形態において、ピン１７０は、シャフト１３０の貫通穴１３４を通り直径方向に延びる筒状柱部材である。この柱部材は、シャフト１３０の両側で直径方向に相対するピン１７０を形成するのに充分な長さを有する。この実施形態において、スリーブ１５０及びカム１６０は、それぞれ、自身の両側に一対の直径方向に相対する細長穴１５４及び１６４を備えても良い。したがって、留具１００の動作が単一の細長穴１５４，１６４及びピン１７０に関して本明細書に記述される一方で、一つ、二つ、又は、それより多い各細長穴及びピンが本発明の範囲から逸脱することなく使用されても良いことは、当業者の一人には理解されるであろう。
【００４７】
パウル１８０は、シャフト１３０に連結される。好ましい実施形態において、パウル１８０は、ねじ凹み１３６に嵌合するネジ１８２を介してシャフト１３０の下側端部へしっかりと連結される。ワッシャ１８４が、パウル１８０のシャフト１３０への適当な締め付けを形成するために、ネジ１８２とパウル１８０との間に追加されても良い。
【００４８】
パウル１８０は、閉位置と開位置との間を移動可能である。パウル１８０は、シャフト１３０の回転及び軸線方向動作によって、閉位置と開位置との間を動かされる。図６Ａに示された閉位置において、パウル１８０は、枠部材２０に掛かり、枠部材２０に関して板部材１０を固定する。図８Ａに示された開位置において、パウル１８０は、枠部材２０から離され、枠部材２０に関する板部材１０の相対動作を可能とする。
【００４９】
留具１００の好ましい動作が、図６Ａから８Ｃに関して以下に記述される。以下の記述から明らかであるように、細長穴１５４及び１６４は、パウル１８０が枠部材２０に掛かる又は枠部材から外れるように、キャップ１２０がハウジング１１０内で回転させられるときのシャフト１３０の回転及び軸線方向動作を案内するように形成される。
【００５０】
図６Ａから６Ｃは、閉位置の留具１００を示す。図６Ａに示されたように、パウル１８０は、閉位置において枠部材２０に掛かるように回転させられる。図６Ｂに示されたように、表示部１１８及び１２５は整列され、使用者に、キャップ１２０が非回転（締り）位置にあることを表示する。図６Ｃに示されたように、案内部１３２がキャップ１２０の凹み１２４内に完全に受け入れられ、スプリング１４０が完全に圧縮されると共に、シャフト１３０は軸線方向最上位置にある。
【００５１】
この段階において、留具１００を開くために、使用者は、キャップ１２０の駆動面１２２に鍵を嵌合して、回転し始める。キャップ１２０の回転は、例えば鍵形体１６２及び１２９のために、カム１６０の対応回転を引き起こす。カム１６０が回転すると、カム１６０の螺旋状細長穴１６４は、軸線方向及び周方向にピン１７０へ力を加える。Ｌ形状細長穴１５４の第一部分は、軸線方向においてピン１７０の動作を許容し、周方向においてピン１７０の動作を防止する。その結果として、閉位置からのキャップ１２０及びカム１６０の回転は、ピン１７０及びそれに対応してシャフト１３０が、キャップ１２０から離れるように軸線方向にだけ移動することを引き起こす（スプリング１４０からの偏倚力の下で）。シャフト１３０のこの軸線方向動作は、パウル１８０を軸線方向下側へ及び枠部材２０から離れるように動かす。ピン１７０の軸線方向動作は、ピン１７０がＬ形状細長穴１５４の第二部分に達するまで進行する。
【００５２】
図７Ａから７Ｃは、ピン１７０がＬ形状細長穴１５４の第二部分に達した後の開位置と閉位置との間の位置の留具１００を示す。カム１６０が回転を続けると、カム１６０の螺旋状細長穴１６４は、軸線方向及び周方向においてピン１７０へ力を加え続ける。Ｌ形状細長穴１５４の第二部分は、さらに、軸線方向におけるピン１７０の動作を防止するが、周方向におけるピン１７０の動作を許容する。その結果として、キャップ１２０及びカム１６０の連続回転は、ピン１７０及びそれに対応してシャフト１３０が、回転又は周方向においてだけ動くことを引き起こす。シャフト１３０のこの回転動作は、パウル１８０を枠部材２０から離れるよう回転方向に動かす。図７Ａ及び７Ｂに示されたように、パウル１８０は、枠部材２０から離れるよう開位置へ向けて回転し始めている。図７Ｂに示されたように、表示部１１８及び１２５は、キャップ１２０が閉位置から反時計回りに回転させられているので、もはや整列しない。図７Ｃに示されたように、スプリング１４０が完全に伸びていると共に、シャフト１３０は、軸線方向最下位置にある。シャフト１３０は回転し始めており、図７Ｃに示されたピン１７０の断面は僅かに楕円形状である。
【００５３】
図７Ａから７Ｃ（及び本明細書の他の部分）の好ましい実施形態は、キャップの反時計回りの回転を描く一方で、本明細書に記述された動作が択一的にキャップの時計回りの回転で実施されても良いことは、理解されるであろう。
【００５４】
図８Ａから８Ｃは、ピン１７０がＬ形状細長穴１５４の第二部分の端部に達する後の開位置の留具１００を示す。キャップ１２０及びカム１６０の回転は、ピン１７０が細長穴１５４の端部に達して、シャフト１３０のピン１７０のさらなる回転動作が不可能となるまで続けられても良い。図８Ａ及び８Ｂに示されたように、パウル１８０は、完全に回転させられており、枠部材２０に掛かることができない。図８Ｂに示されたように、キャップ１２０の完全な回転は、表示部１１８及び１２５の間の相違によって示されるように、閉位置から約１８０°を構成する。しかしながら、完全開放と閉位置との間の回転間隔が任意の所望の間隔であって良いことは、理解されるであろう。図８Ｃに示されたように、シャフト１３０は、完全に回転させられ、図８Ｃに示されたピン１７０の断面は楕円形状である（断面が筒状ピンの側壁を通過するときに）。
【００５５】
代替キャップ２２０が、図９Ａから９Ｃに図解される。キャップ２２０は、以下に明らかにされる以外は、キャップ１２０に関して上で明らかにされた構造又は特徴の全てを含んでも良い。
【００５６】
キャップ２２０もまた、キャップ２２０の下面に形成された少なくとも一つの長手方向に延びる凹み１２４を備える。凹み１２４は、スプリング１４０を支持する面１２７を自身に備える。キャップ１２０の面１２７は、キャップ１２０の全高Ｈを低減又はさらに低減するために、凹み１２４内に形状が定められる。
【００５７】
面１２７は、図９Ｂに示されたように、自身の内側縁部に環状突起２２７を備える。突起２２７は、凹み１２４の開口へ向けて延びる。突起２２７は、面１２７に対するスプリング１４０の適当な収容を助成する可能性がある。追加的に、突起２２７は、案内部１３２が凹み１２４内で側面方向にずれること、及び、案内部１３２がスプリング１４０に接触すること、及び、案内部１３２がスプリング１４０に干渉すること、の少なくとも一つを防止する可能性がある。
【００５８】
キャップ２２０もまた、図９Ｃに示されたように、キャップ２２０の下面に鍵形体２２９を備える。鍵形体２２９は、カム１６０上の鍵形体１６２に噛み合う。鍵形体１２９とは異なり、鍵形体２２９は、キャップ２２０の周囲までは延びない。鍵形体２２９は、カム１６０がキャップ２２０より狭く、噛み合う鍵形体１６２がキャップ２２０の周囲から半径方向内側に設置されるために、キャップ２２０の周囲前で終端しても良い。
【００５９】
代替シャフト２３０が図１０Ａから１０Ｃに図解される。シャフト２３０は、以下に明らかにされる以外は、シャフト１３０に関して上に明らかにされた構造又は特徴の全てを含んでも良い。
【００６０】
シャフト２３０は、図１０Ｂに示されたように、シャフト１３０から上方向に延びる案内部１３２を備える。案内部１３２は、キャップ２２０へ向かって軸線方向に延びる。案内部１３２は、キャップ２２０の凹み１２４内に受け入られる大きさである。凹み１２４内及び突起２２７の内側への案内部１３２の滑り嵌合は、キャップ２２０に関するシャフト２３０の軸線方向動作の方向を定める。
【００６１】
シャフト２３０は、スプリング１４０が案内部１３２を取り囲むときに、スプリング１４０を支持する面１３８を備える。案内部１３２は、さらに、図１０Ｃに示されたように、面１３８に隣接する広がり部２３８を備える。広がり部２３８は、面１３８に対してスプリング１４０の適当な収容を助成する可能性がある。追加的に、広がり部２３８は、スプリング１４０が案内部１３２に隣接して側面方向にずれることを防止する可能性がある。
【００６２】
代替開動作の段階が図１１Ａから１２Ｂに図解されている。図１１Ａ及び１１Ｂは、閉位置の留具を示す。図１１Ａに示されたように、表示部１１８及び１２５は整列され、使用者にキャップ２２０が非回転（締り）位置にあることを表示する。図１１Ｂに示されたように、案内部１３２は突起２２７の内側においてキャップ２２０の凹み１２４内に完全に受け入られ、スプリング１４０は完全に圧縮されると共に、シャフト２３０は軸線方向最上位置にある。
【００６３】
図１２Ａ及び１２Ｂは、開位置と閉位置との間の位置の留具を示す。キャップ２２０の連続回転は、ピン１７０及びそれに対応してシャフト２３０が回転方向又は周方向にだけ移動することを引き起こす。シャフト２３０のこの回転動作はパウル１８０を動かす。図１２Ａに示されたように、表示部１１８及び１２５は、キャップ２２０が閉位置から反時計回りに回転させられているので、もはや整列されない。図１２Ｂに示されたように、スプリング１４０が完全に伸ばされると共に、シャフト２３０は軸線方向最下位置にある。突起２２７は、案内部１３２の先端より下側に突出し、それにより、案内部１３２が凹み１２４内で側面方向にずれることを防止する。同様に、広がり部２３８は、スプリング１４０が案内部１３２に隣接して側面方向にずれることを防止する。
【００６４】
もう一つの代替キャップ３２０が、図１３Ａから１３Ｅに図解される。キャップ３２０は、以下に明らかにされる以外は、キャップ１２０及びキャップ２２０の少なくとも一方に関して上に明らかにされた構造又は特徴の全てを含んでも良い。
【００６５】
キャップ３２０は、図１３Ａから１３Ｅに示されたように、自身の上面に少なくとも一つの駆動面３２２を備える。駆動面３２２は、使用者が、例えば六角形の鍵によってキャップ３２０を駆動又は回転することを可能とするために設けられる。この実施形態において、キャップ３２０は、長手軸線に沿ってキャップ３２０の上面内へ延びる駆動開口３２８を具備する。駆動開口３２８は、キャップ３２０を回転するための駆動面３２２を形成する。
【００６６】
キャップ３２０もまた、キャップ３２０の下面に形成された少なくとも一つの長手方向に延びる凹み１２４を備える。この実施形態において、ハウジングの半径方向において凹み１２４と駆動開口３２８との間の重なりは存在しない。言い換えれば、凹み１２４は、駆動開口３２８から半径方向外側又は半径方向内側のいずれかの位置へ長手方向に延びる。
【００６７】
もう一つの代替シャフト３３０が図１４Ａから１４Ｅに図解される。シャフト３３０は、以下に明らかにされる以外は、シャフト１３０及びシャフト２３０の少なくとも一方に関して上に明らかにされた構造又は特徴の全てを含んでも良い。
【００６８】
シャフト３３０は、図１４Ａ、１４Ｃ、及び、１４Ｅに示されたように、シャフト１３０から上方向に延びる案内部を備えていない。その位置において、シャフト２３０は、スプリング１４０が所定位置にあるときにスプリング１４０を支持する円板形状面３３８を備える。
【００６９】
もう一つの代替開動作の段階が図１５から１６に図解される。図１５及び１５は、閉位置の留具を示す。図１５に示されたように、表示部１１８及び１２５は整列され、使用者にキャップ３２０が非回転（締り）位置にあることを表示する。図１５Ｂに示されたように、スプリング１４０は凹み１２４の上面とシャフト３３０の面３３８との間で完全に圧縮されると共に、シャフト３３０は軸線方向最上位置にある。
【００７０】
図１６Ａ及び１６Ｂは、開位置と閉位置との間の位置の留具を示す。キャップ３２０は、例えば、駆動開口３２８内への六角形の鍵の挿入によって回転させられる。キャップ３２０の回転は、ピン１７０及びそれに対応してシャフト３３０が回転方向又は周方向にだけ移動することを引き起こす。シャフト３３０のこの回転動作はパウル１８０を動かす。図１６Ａに示されたように、表示部１１８及び１２５は、キャップ３２０が閉位置から反時計回りに回転させられているので、もはや整列されない。図１６Ｂに示されたように、スプリング１４０が凹み１２４の上面とシャフト３３０の面３３８との間で完全に伸ばされると共に、シャフト３３０は軸線方向最下位置にある。
【００７１】
以前に注記したように、本明細書に記述された好ましい留具は、囲い空間内において留具により占領される領域を低減するように、囲い空間のための伝統的な留具に比較して低い突出長を有することができる。例えば、好ましい押圧留具が貯蔵区画に関して使用されるときに、これら留具は、このような区画内への留具の突出程度の低減を提供することができ、こうして、利用可能な貯蔵空間への留具の影響を低減又は排除する。
【００７２】
本発明の好適な態様により、留具の突出程度のこの低減は、他の性能的利点に妥協することなく達成される。例えば、本発明は、同時に、（１）伝統的な押圧留具に比較して留具のパウルの同じ引き上げ量又はストローク、（２）伝統的な押圧留具に比較して同じ感触の及び滑らかな動作、及び、（３）伝統的な押圧留具に比較して同じ押圧力の少なくとも一つ又は全てを維持する一方で、伝統的な押圧留具に比較して留具の突出程度を低減することを可能とする。
【００７３】
本発明の好適な実施形態が本明細書に図示及び記述されている一方で、このような実施形態が例としてだけ提供されることは理解されるであろう。多数の変形、変更、及び、置換は、本発明の精神から逸脱することなく当業者に見出されるであろう。したがって、添付された請求の範囲は、本発明の精神及び範囲内に属するような全てのこのような変形を網羅することが意図される。
【図１】
2018524494.tif 000003
【図２】
2018524494.tif 000004
【図２Ａ】
2018524494.tif 000005
【図３Ａ】
2018524494.tif 000006
【図３Ｂ】
2018524494.tif 000007
【図３Ｃ】
2018524494.tif 000008
【図３Ｄ】
2018524494.tif 000009
【図３Ｅ】
2018524494.tif 000010
【図４Ａ】
2018524494.tif 000011
【図４Ｂ】
2018524494.tif 000012
【図４Ｃ】
2018524494.tif 000013
【図４Ｄ】
2018524494.tif 000014
【図４Ｅ】
2018524494.tif 000015
【図５Ａ】
2018524494.tif 000016
【図５Ｂ】
2018524494.tif 000017
【図５Ｃ】
2018524494.tif 000018
【図５Ｄ】
2018524494.tif 000019
【図５Ｅ】
2018524494.tif 000020
【図６Ａ】
2018524494.tif 000021
【図６Ｂ】
2018524494.tif 000022
【図６Ｃ】
2018524494.tif 000023
【図７Ａ】
2018524494.tif 000024
【図７Ｂ】
2018524494.tif 000025
【図７Ｃ】
2018524494.tif 000026
【図８Ａ】
2018524494.tif 000027
【図８Ｂ】
2018524494.tif 000028
【図８Ｃ】
2018524494.tif 000029
【図９Ａ】
2018524494.tif 000030
【図９Ｂ】
2018524494.tif 000031
【図９Ｃ】
2018524494.tif 000032
【図１０Ａ】
2018524494.tif 000033
【図１０Ｂ】
2018524494.tif 000034
【図１０Ｃ】
2018524494.tif 000035
【図１１Ａ】
2018524494.tif 000036
【図１１Ｂ】
2018524494.tif 000037
【図１２Ａ】
2018524494.tif 000038
【図１２Ｂ】
2018524494.tif 000039
【図１３Ａ】
2018524494.tif 000040
【図１３Ｂ】
2018524494.tif 000041
【図１３Ｃ】
2018524494.tif 000042
【図１３Ｄ】
2018524494.tif 000043
【図１３Ｅ】
2018524494.tif 000044
【図１４Ａ】
2018524494.tif 000045
【図１４Ｂ】
2018524494.tif 000046
【図１４Ｃ】
2018524494.tif 000047
【図１４Ｄ】
2018524494.tif 000048
【図１４Ｅ】
2018524494.tif 000049
【図１５Ａ】
2018524494.tif 000050
【図１５Ｂ】
2018524494.tif 000051
【図１６Ａ】
2018524494.tif 000052
【図１６Ｂ】
2018524494.tif 000053
【国際調査報告】
2018524494.tif 000054
2018524494.tif 000055
2018524494.tif 000056